(57)【要約】【課題】個包装した商品を並べて収納するプラスチックトレーに代わるものでありながら、仕切りの強度に問題のない紙製トレーを提供すること。【解決手段】矩形状の底板１１における周囲四辺にそれぞれ折罫線を介して側板１２〜１５が連設されており、底板１１に対して各側板１２〜１５を立ち上げて隣接する側板どうしを連結することでトレー状となる紙製トレーＡであって、底板１１に切込みと折罫線とで仕切り部分１１ａが区画されており、その仕切り部分１１ａを立ち上げることで仕切りが組み立てられ、その仕切りが底板１１に対して動かない構造になっている。仕切りは押し倒す向きに力が掛かっても傾いたり倒れたりすることがなく、個包装した商品を整列させた状態でずれることなく安定して収納できることから、従来のプラスチックトレーに十分に取って代わることができる。【選択図】図１
2015157639.tif 000002
【特許請求の範囲】
【請求項１】
矩形状の底板における周囲四辺にそれぞれ折罫線を介して側板が連設されており、底板に対して各側板を立ち上げて隣接する側板どうしを連結することでトレー状となる紙製トレーであって、底板に切込みと折罫線とで仕切り部分が区画されており、その仕切り部分を立ち上げることで仕切りが組み立てられ、その仕切りが底板に対して動かない構造になっていることを特徴とする紙製トレー。
【請求項２】
側板に切込みと折罫線とで固定片が区画されており、立ち上げた仕切り部分を内側に折り曲げた固定片に接合することで仕切りが組み立てられていることを特徴とする請求項１に記載の紙製トレー。
【請求項３】
２つの仕切り部分が対向するように且つそれらの折罫線が一定の距離を有するようにして区画されており、立ち上げた仕切り部分どうしを接合することで仕切りが組み立てられていることを特徴とする請求項１に記載の紙製トレー。
【請求項４】
仕切り部分がパネル部とそれより両端が長い固定部とに区画されており、パネル部を二つ折りして山形状とし、固定部の両端部分を底板に接合することで仕切りが組み立てられていることを特徴とする請求項１に記載の紙製トレー。
【発明の詳細な説明】
【技術分野】
【０００１】
本発明は、板紙からなるトレーの技術分野に属し、特に個包装した菓子類や雑貨類等の商品をトレー内に複数個並べ、その状態で大袋に収納して販売形態とする際に用いられる紙製トレーに関するものである。
【背景技術】
【０００２】
従来より、小袋などで個包装した菓子類や雑貨類等を複数個まとめて大袋に入れて販売形態とする場合、個包装した商品を整列した状態にするため、シート成形した薄手のプラスチックトレーが使用されている。すなわち、個包装したものを並べた状態でプラスチックトレーに入れ、そのプラスチックトレーごと大袋に入れるようにしている。そして、価格の問題や廃棄や焼却に伴う環境上の問題を勘案し、このようなプラスチックトレーに代えて板紙で作った紙製トレーを用いることが提案されている。
【０００３】
上記の紙製トレーとして、特許文献１に記載のように、一枚のブランクを組み立てて形成されるものが知られている。この紙製トレーは、底板が矩形であり、その底板の四辺に側板が立ち上がって成形されるもので、側板に設けた差込み片を隣接する側板のスリットに挿入してトレー状となり、さらに、一辺が折罫線のみで底面に連接している少なくとも２個以上の仕切りの切込みが設けられており、この切込みの部分をトレー組立て時に立ち上げて仕切り板となるように構成されている。
【先行技術文献】
【特許文献】
【０００４】
【特許文献１】特開２０１０−２５４３４８号公報
【発明の概要】
【発明が解決しようとする課題】
【０００５】
特許文献１に記載の紙製トレーは、底面に切込みで区画した仕切り板を立ち上げるようにしてあるので、別途用意した仕切り板等を使用することなく、商品間の空隙を効果的に埋めて、商品整列の美装感を向上させ、かつ振動時のがたつきを防止することができるというものである。しかしながら、この紙製トレーは、隣接する仕切り板の折罫線が一直線上にあるので、仕切り板どうしの上部をかみ合わせて連結したとしても、押し倒す向きに力が掛かると仕切り板の回動軸が同じなので傾いてしまう。このため、プラスチックトレーに比べると、仕切りの強度が不十分で内容物が安定しないという問題点がある。
【０００６】
本発明は、このような問題点に鑑みてなされたものであり、その目的とするところは、個包装した商品を並べて収納するプラスチックトレーに代わるものでありながら、仕切りの強度に問題のない紙製トレーを提供することにある。
【課題を解決するための手段】
【０００７】
上記の目的を達成するため、本発明の紙製トレーは、矩形状の底板における周囲四辺にそれぞれ折罫線を介して側板が連設されており、底板に対して各側板を立ち上げて隣接する側板どうしを連結することでトレー状となる紙製トレーであって、底板に切込みと折罫線とで仕切り部分が区画されており、その仕切り部分を立ち上げることで仕切りが組み立てられ、その仕切りが底板に対して動かない構造になっていることを特徴とする。
【０００８】
そして、本発明の紙製トレーは、上記の構成からなる紙製トレーにおいて、側板に切込みと折罫線とで固定片が区画されており、立ち上げた仕切り部分を内側に折り曲げた固定片に接合することで仕切りが組み立てられている構成とすることができる。
【０００９】
また、本発明の紙製トレーは、上記の構成からなる紙製トレーにおいて、２つの仕切り部分が対向するように且つそれらの折罫線が一定の距離を有するようにして区画されており、立ち上げた仕切り部分どうしを接合することで仕切りが組み立てられている構成とすることができる。
【００１０】
また、本発明の紙製トレーは、上記の構成からなる紙製トレーにおいて、仕切り部分がパネル部とそれより両端が長い固定部とに区画されており、パネル部を二つ折りして山形状とし、固定部の両端部分を底板に接合することで仕切りが組み立てられている構成とすることができる。
【発明の効果】
【００１１】
本発明の紙製トレーは、矩形状の底板における周囲四辺にそれぞれ折罫線を介して側板が連設されており、底板に対して各側板を立ち上げて隣接する側板どうしを連結することでトレー状となる紙製トレーであって、底板に切込みと折罫線とで仕切り部分が区画されており、その仕切り部分を立ち上げることで仕切りが組み立てられ、その仕切りが底板に対して動かない構造になっているので、仕切りは押し倒す向きに力が掛かっても傾いたり倒れたりすることがなく、個包装した商品を整列させた状態でずれることなく安定して収納できることから、従来のプラスチックトレーに十分に取って代わることができる。
【図面の簡単な説明】
【００１２】
【図１】第１実施形態の紙製トレーの一例を示す斜視図である。
【図２】図１の紙製トレーを組み立てるブランクの展開図である。
【図３】第１実施形態の紙製トレーの他の例を示す斜視図である。
【図４】図３の紙製トレーを組み立てるブランクの展開図である。
【図５】第２実施形態の紙製トレーの一例を示す斜視図である。
【図６】図５の紙製トレーを組み立てるブランクの展開図である。
【図７】第２実施形態の紙製トレーの他の例を示す斜視図である。
【図８】図７の紙製トレーを組み立てるブランクの展開図である。
【図９】第３実施形態の紙製トレーの一例を示す斜視図である。
【図１０】図９の紙製トレーを組み立てるブランクの展開図である。
【発明を実施するための形態】
【００１３】
次に、本発明の実施形態について図面を参照しながら詳細に説明する。
【００１４】
〔第１実施形態）
図１は本発明の第１実施形態に係る紙製トレーの一例を示す斜視図であり、この紙製トレーＡは図２にその展開図を示すブランクを組み立てて形成される。
【００１５】
図２のブランクは、板紙を打ち抜いて作成されたものであり、図示のように、矩形状の底板１１における周囲四辺にそれぞれ折罫線ａ，ｂ，ｃ，ｄを介して前側板１２，後側板１３，左側板１４，右側板１５が連設されている。左側板１４の両側辺には折罫線ｅ，ｆを介してロック片１６，１７が連設され、右側板１５の両側辺には折罫線ｇ，ｈを介してロック片１８，１９が連設されており、これらのロック片１６〜１９の先端はＺ状に切り欠かれた形状の係止部になっており、前側板１２と後側板１３にはこの係止部を引っ掛けるための切込みｘが設けられている。
【００１６】
そして、底板１１には、コの状の切込みαとその両端を連結する折罫線ｍとで仕切り部分１１ａが区画されており、このブランクでは仕切りの付け根に棚を設けるために、折罫線ｍを両端近くのみにし、その内端どうしを繋ぐ切込みβを設けてある。これにより、底板１１には、内外の切込みα，βとそれらの端部を繋ぐ折罫線ｍとで二股状の仕切り部分１１ａが区画されている。また、左側板１４と右側板１５には、切込みγと折罫線ｐとで固定片１４ａ，１５ａが区画されている。ここで、仕切り部分１１ａの折罫線ｍは底板１１の前後方向の中央に位置しており、固定片１４ａ，１５ａの折罫線ｐは折罫線ｍの延長線上に位置している。
【００１７】
図２のブランクを組み立てるには、底板１１に対して各側板１２〜１５を起立させるとともに、左側板１４の両側辺に連設するロック片１６，１７の先端部分と右側板１５の両側辺に連設するロック片１８，１９の先端部分をそれぞれ前側板１２と後側板１３の切込みｘに差し込むことでトレー状とする。次いで、底板１１に区画された仕切り部分１１ａを折罫線ｍのところを回動軸として立ち上げ、左右の側板１４，１５にある固定片１４ａ，１５ａを折罫線ｐのところで内側に折り曲げ、重なった部分を糊で貼り合わせることで中央を横断する仕切りを形成する。これにより、図１に示すような、底板１１に対して動かない構造の仕切りを有する紙製トレーＡが作成される。
【００１８】
この紙製トレーＡには、ピロー袋などの小袋で個包装した所定サイズの菓子類や雑貨類等を整列状態で複数個並べて収納する。このとき、底板１１において仕切り部分１１ａのあったところが開口しているが、仕切りの根元に切込みβによる棚が形成されているので、内容物が落下するのを防いでトレー内に保持することができる。小袋の向きは底板１１に対して縦置きでも横置きでも構わないし、前後の側板１２，１３に平行でも左右の側板１４，１５に平行でも構わない。そして、この収納状態の紙製トレーを大袋に入れて販売形態とする。紙トレーにはテーパーがなく、コーナーエッジも直角なため、大袋の外観がシャープになり、立てたときの自立性も向上する。
【００１９】
図３は本発明の第１実施形態に係る紙製トレーの他の例を示す斜視図であり、この紙製トレーＢは図４にその展開図を示すブランクを組み立てて形成される。
【００２０】
図４のブランクは、板紙を打ち抜いて作成されたものであり、図示のように、矩形状の底板２１における周囲四辺にそれぞれ折罫線ａ，ｂ，ｃ，ｄを介して前側板２２，後側板２３，左側板２４，右側板２５が連設されている。左側板２４の両側辺には折罫線ｅ，ｆを介して糊代片２６，２７が連設されている。
【００２１】
そして、底板１１には、コの状の切込みαとその両端を連結する折罫線ｍとで仕切り部分２１ａが区画されており、このブランクでは、Ｌ字状で内側に延びる屈曲部分を切込みαの両端に延長し、折罫線ｍはその屈曲部分の先端どうしを結ぶ線としてあり、さらに屈曲部分のところで仕切り部分２１ａを分割する折罫線ｎを設けてある。また、左側板２４と右側板２５には、切込みγと折罫線ｐとで固定片２４ａ，２５ａが区画されている。ここで、折罫線ｍと折罫線ｎとの距離が棚の幅になるが、折罫線ｍはこの幅だけ底板２１の前後方向の中心線から前にずれたところに位置しており、固定片２４ａ，２５ａの折罫線ｎは底板２１の前後方向の中央に位置している。なお、折罫線ｍ，ｎは、折れ曲がり易さを考慮して、罫線の途中に不連続状態で切込みのあるリード罫にしてある。
【００２２】
図４のブランクを組み立てるには、底板２１に対して各側板２２〜２５を起立させるとともに、左側板２４の両側辺に連設する糊代片２６，２７と右側板２５の両側辺に連設する糊代片２８，２９の外側に前側板２２と後側板２３を重ね合わせて貼着することでトレー状とする。次いで、底板２１に区画された仕切り部分２１ａを折罫線ｍのところで上方に折り返すとともに、折罫線ｎより先の部分を折罫線ｎのところで折り曲げて立ち上げた状態とし、さらに左右の側板２４，２５にある固定片２４ａ，２５ａを折罫線ｐのところで内側に折り曲げ、重なった部分を糊で貼り合わせることで中央を横断する仕切りを形成する。これにより、図３に示すような、底板２１に対して動かない構造の仕切りを有する紙製トレーＢが作成される。
【００２３】
この紙製トレーＢには、ピロー袋などの小袋で個包装した所定サイズの菓子類や雑貨類等を整列状態で複数個並べて収納する。このとき、底板２１において仕切り部分２１ａのあったところが開口しているが、仕切りの根元に仕切り部分２１の一部を折り返して形成した棚があるので、内容物が落下するのを防いでトレー内に保持することができる。小袋の向きは底板２１に対して縦置きでも横置きでも構わないし、前後の側板２２，２３に平行でも左右の側板２４，２５に平行でも構わない。そして、この収納状態の紙製トレーを大袋に入れて販売形態とする。紙トレーにはテーパーがなく、コーナーエッジも直角なため、大袋の外観がシャープになり、立てたときの自立性も向上する。
【００２４】
〔第２実施形態）
図５は本発明の第１実施形態に係る紙製トレーの一例を示す斜視図であり、この紙製トレーＣは図６にその展開図を示すブランクを組み立てて形成される。
【００２５】
図６のブランクは、板紙を打ち抜いて作成されたものであり、図示のように、矩形状の底板３１における周囲四辺にそれぞれ折罫線ａ，ｂ，ｃ，ｄを介して前側板３２，後側板３３，左側板３４，右側板３５が連設されている。左側板３４の両側辺には折罫線ｅ，ｆを介してロック片３６，３７が連設され、右側板３５の両側辺には折罫線ｇ，ｈを介してロック片３８，３９が連設されており、これらのロック片３６〜３９の先端はＺ状に切り欠かれた形状の係止部になっており、前側板３２と後側板３３にはこの係止部を引っ掛けるための切込みｘが設けられている。
【００２６】
そして、底板３１には、２つの仕切り部分３１ａが、底板３１の中心から点対称な位置で対向するように、且つそれらの折罫線ｍが一定の間隔を有するようにしてコの字状の切込みαにより区画されており、このブランクでは仕切りの付け根に棚を設けるために、折罫線ｍを両端近くのみにし、その内端どうしを繋ぐ切込みβを設けてある。これにより、底板３１には、内外の切込みα，βとそれらの端部を繋ぐ折罫線ｍとで二股状の仕切り部分３１ａが２箇所に区画されている。また、対向する仕切り部分３１ａは、立てたときに重なる部分を有している（図では半円状の突出部分が重なる部分である）。
【００２７】
図６のブランクを組み立てるには、底板３１に対して各側板３２〜３５を起立させるとともに、左側板３４の両側辺に連設するロック片３６，３７の先端部分と右側板３５の両側辺に連設するロック片３８，３９の先端部分をそれぞれ前側板３２と後側板３３の切込みｘに差し込むことでトレー状とする。次いで、底板３１に区画された２つの仕切り部分３１ａをそれぞれ折罫線ｍのところを回動軸として立ち上げ、重なった部分を糊で貼り合わせることで中央を横断する仕切りを形成する。これにより、図５に示すような、底板３１に対して動かない構造の仕切りを有する紙製トレーＣが作成される。なお、仕切り部分３１ａの重なった部分を貼着する代わりに、双方の仕切り部分３１ａの重なる部分にそれぞれ切込みを設けておき、これらの切込みどうしを噛み合わせて接合するようにしてもよい。
【００２８】
この紙製トレーＣには、ピロー袋などの小袋で個包装した所定サイズの菓子類や雑貨類等を整列状態で複数個並べて収納する。このとき、底板３１において２つの仕切り部分３１ａのあったところがそれぞれ開口しているが、仕切りの根元に切込みβによる棚が形成されているので、内容物が落下するのを防いでトレー内に保持することができる。小袋の向きは底板３１に対して縦置きでも横置きでも構わないし、前後の側板３２，３３に平行でも左右の側板３４，３５に平行でも構わない。そして、この収納状態の紙製トレーを大袋に入れて販売形態とする。紙トレーにはテーパーがなく、コーナーエッジも直角なため、大袋の外観がシャープになり、立てたときの自立性も向上する。
【００２９】
図７は本発明の第２実施形態に係る紙製トレーの他の例を示す斜視図であり、この紙製トレーＤは図８にその展開図を示すブランクを組み立てて形成される。
【００３０】
図８のブランクは、板紙を打ち抜いて作成されたものであり、図示のように、矩形状の底板４１における周囲四辺にそれぞれ折罫線ａ，ｂ，ｃ，ｄを介して前側板４２，後側板４３，左側板４４，右側板４５が連設されている。左側板４４の両側辺には折罫線ｅ，ｆを介してロック片４６，４７が連設され、右側板４５の両側辺には折罫線ｇ，ｈを介してロック片４８，４９が連設されており、これらのロック片４６〜４９の先端はＺ状に切り欠かれた形状の係止部になっており、前側板４２と後側板４３にはこの係止部を引っ掛けるための切込みｘが設けられている。
【００３１】
そして、底板４１には、２つの仕切り部分４１ａが、底板４１を横断する中心線から線対称な位置で対向するように、且つそれらの折罫線ｍが一定の間隔を有するようにしてコの字状の切込みαにより区画されており、このブランクでは仕切りの付け根に棚を設けるために、折罫線ｍを両端近くのみにし、その内端どうしを繋ぐ切込みβを設けてある。これにより、底板４１には、内外の切込みα，βとそれらの端部を繋ぐ折罫線ｍとで二股状の仕切り部分４１ａが２箇所に区画されている。
【００３２】
図８のブランクを組み立てるには、底板４１に対して各側板４２〜４５を起立させるとともに、左側板４４の両側辺に連設するロック片４６，４７の先端部分と右側板４５の両側辺に連設するロック片４８，４９の先端部分をそれぞれ前側板４２と後側板４３の切込みｘに差し込むことでトレー状とする。次いで、底板４１に区画された２つの仕切り部分４１ａをそれぞれ折罫線ｍのところを回動軸として立ち上げ、上部を重ね合わせて糊で貼り合わせることで中央を横断する仕切りを形成する。これにより、図７に示すような、底板４１に対して動かない構造の仕切りを有する紙製トレーＤが作成される。
【００３３】
この紙製トレーＤには、ピロー袋などの小袋で個包装した所定サイズの菓子類や雑貨類等を整列状態で複数個並べて収納する。このとき、底板４１において２つの仕切り部分４１ａのあったところがそれぞれ開口しているが、仕切りの根元に切込みβによる棚が形成されているので、内容物が落下するのを防いでトレー内に保持することができる。小袋の向きは底板４１に対して縦置きでも横置きでも構わないし、前後の側板４２，４３に平行でも左右の側板４４，４５に平行でも構わない。そして、この収納状態の紙製トレーを大袋に入れて販売形態とする。紙トレーにはテーパーがなく、コーナーエッジも直角なため、大袋の外観がシャープになり、立てたときの自立性も向上する。
【００３４】
〔第３実施形態）
図９は本発明の第３実施形態に係る紙製トレーの一例を示す斜視図であり、この紙製トレーＥは図１０にその展開図を示すブランクを組み立てて形成される。
【００３５】
図１０のブランクは、板紙を打ち抜いて作成されたものであり、図示のように、矩形状の底板５１における周囲四辺にそれぞれ折罫線ａ，ｂ，ｃ，ｄを介して前側板５２，後側板５３，左側板５４，右側板５５が連設されている。左側板５４の両側辺には折罫線ｅ，ｆを介してロック片５６，５７が連設され、右側板５５の両側辺には折罫線ｇ，ｈを介してロック片５８，５９が連設されており、これらのロック片５６〜５９の先端はＺ状に切り欠かれた形状の係止部になっており、前側板５２と後側板５３にはこの係止部を引っ掛けるための切込みｘが設けられている。
【００３６】
そして、底板５１には、コの状の切込みαとその両端を連結する折罫線ｍとで仕切り部分５１ａが区画されており、このブランクでは、その仕切り分５１ａが折罫線ｍ側のパネル部Ｐとそれより両端が長い先端側の固定部Ｑとに区画されている。そして、パネル部Ｐと固定部Ｑの境界に折罫線ｎが設けられ、パネル部Ｐには中央に折罫線ｏが設けられている。ここで、パネル部Ｐが仕切りとなり固定部Ｑが棚になるが、折罫線ｍは底板５１の前後方向の中心線から所定の距離だけ後方にずれており、固定部Ｑを貼り合わせる際に目印となる押罫ｉは、それと同じ距離だけ前方にずれた位置に設けられている。なお、折罫線ｍ，ｎ，ｏは、折れ曲がり易さを考慮して、罫線の途中に不連続状態で切込みのあるリード罫にしてある。
【００３７】
図１０のブランクを組み立てるには、底板５１に対して各側板５２〜５５を起立させるとともに、左側板５４の両側辺に連設するロック片５６，５７の先端部分と右側板５５の両側辺に連設するロック片５８，５９の先端部分をそれぞれ前側板５２と後側板５３の切込みｘに差し込むことでトレー状とする。次いで、底板５１に区画された仕切り部分５１ａを組み立てる。すなわち、パネル部Ｐを折罫線ｏのところで二つ折りして山形状にするとともに、固定部Ｑを折罫線ｎのところで少し上方に折り曲げてその内端縁を目印である押罫ｉのところに合わせ、両端部分を開口の両サイドに残った底板５１部分に貼着して接合することで中央を横断する仕切りを形成する。これにより、図９に示すような、底板５１に対して動かない構造の仕切りを有する紙製トレーＥが作成される。なお、仕切り部分５１ａの固定部Ｑを貼着する代わりに、固定部Ｑの両端位置に突起を設け、これを底板５１に形成したスリットに差し込んで接合するようにしてもよい。
【００３８】
この紙製トレーＥには、ピロー袋などの小袋で個包装した所定サイズの菓子類や雑貨類等を整列状態で複数個並べて収納する。このとき、底板５１において仕切り部分５１ａのあったところが開口しているが、仕切りの根元に仕切り部分５１の固定部Ｑにより形成した棚があるので、内容物が落下するのを防いでトレー内に保持することができる。小袋の向きは底板５１に対して縦置きでも横置きでも構わないし、前後の側板５２，５３に平行でも左右の側板５４，５５に平行でも構わない。そして、この収納状態の紙製トレーを大袋に入れて販売形態とする。紙トレーにはテーパーがなく、コーナーエッジも直角なため、大袋の外観がシャープになり、立てたときの自立性も向上する。
【００３９】
以上、本発明の実施形態について詳細に説明してきたが、本発明による紙製トレーは、上記した実施形態に何ら限定されるものではなく、本発明の趣旨を逸脱しない範囲において種々の変更が可能である。
【００４０】
例えば、本発明の紙製トレーは、その縦と横サイズは図示したようなものに限らず、前後の方が左右よりも長くてもよい。また、立ち上げた側板どうしを連結する手段は上記した以外の手段を用いても構わない。
【００４１】
また、紙製トレーに入れる商品は、同じのものを複数個並べて整列するだけでなく、形態やサイズが異なるものでもよいし、個包装の形式はピロー袋以外に多種類あっても構わない。例えば、キャラメル包装したもの、ひねりのキャンデー包装したもの、さらには裸のままのもの（商品は外装により保護される）でもよく、これらを非整列状態で（バラバラに）入れてもよい。
【００４２】
また、仕切りの位置は中央からずらしてもよく、仕切りの数は複数個あってもよく、さらに仕切りの向きはは底板の短辺方向と平行でなくても構わない。例えば、斜めに設置してもよいし、直角方向に設置してもよく、これらを組み合わせてもよい。
【００４３】
また、本発明の紙製トレーは、対向する長い方の側板の上辺に沿って所定幅のフラップを延設しておき、商品を並べて収納した状態で、これらのフラップを内側に折り曲げるようにしてもよい。このような構成にすることで、左右の側板が折れ曲がりにくくなって紙製トレーの保形性が向上する。
【産業上の利用可能性】
【００４４】
本発明の紙製トレーは、小袋などで個包装したチョコ、キャンデー、焼き菓子（ビスケット、クッキー）などの菓子類を複数個まとめて大袋に入れて販売形態とする場合に好適に用いられる。また、雑貨類をはじめとして各種の小型商品を入れて販売する場合にも必要に応じて用いることができる。
【符号の説明】
【００４５】
Ａ，Ｂ，Ｃ，Ｄ，Ｅ  紙製トレー
１１，２１，３１，４１，５１  底板
１１ａ，２１ａ，３１ａ，４１ａ，５１ａ  仕切り部分
１２，２２，３２，４２，５２  前側板
１３，２３，３３，４３，５３  後側板
１４，２４，３４，４４，５４  左側板
１４ａ，２４ａ  固定片
１５，２５，３５，４５，５５  右側板
１５ａ，２５ａ  固定片
１６〜１９  ロック片
２６，２７，２８，２９  糊代片
３６〜３９  ロック片
４６〜４９  ロック片
５６〜５９  ロック片
ａ〜ｈ  折罫線
ｉ  押罫
ｍ〜ｐ  折罫線
ｘ  切込み
α，β，γ  切込み
【図１】
2015157639.tif 000003
【図２】
2015157639.tif 000004
【図３】
2015157639.tif 000005
【図４】
2015157639.tif 000006
【図５】
2015157639.tif 000007
【図６】
2015157639.tif 000008
【図７】
2015157639.tif 000009
【図８】
2015157639.tif 000010
【図９】
2015157639.tif 000011
【図１０】
2015157639.tif 000012